(57)【要約】【課題】【解決手段】インクジェット・プリントヘッド（２０）は、ｑ個の第１の制御信号とｐ個の第２の制御信号の少なくとも一部に基づいて制御可能である。プリントヘッド（２０）は、作動される際に熱を発生するインク−加熱抵抗体を有するプリントヘッド集積回路チップ（２２）を含む。プリントヘッド・チップ（２２）はまた、第１及び第２の制御信号を受信し、かつ、第１及び第２の制御信号の少なくとも一部に基づいて、選択されたインク−加熱抵抗体を通って電流が流れることを許容することによって、インク−加熱抵抗体を選択的に作動させるスイッチング回路を有する。スイッチング回路は、第１の操作モード又は第２の操作モードのいずれかにおいて操作可能であり、ここで、第１の操作モードにおいてｑはｑ１に等しく、第２の操作モードにおいてｑはｑ２に等しく、ｑ１はｑ２の２倍である。第１の操作モードにおいてｐはｐ１に等しく、第２の操作モードにおいてｐはｐ２に等しく、ｐ２はｐ１の２倍である。ｑ１にｐ１を掛けた積がｑ２にｐ２を掛けた積に等しい。プリントヘッド（２０）はまた、プリントヘッドの集積回路（２０）に接続される操作モード選択回路を含む。操作モード選択回路の配置は、スイッチング回路が第１の操作モード又は第２の操作モードにおいて動作するかを決定する。
2004500999.tif 000002
【特許請求の範囲】
【請求項１】
ｑ個の第１の制御信号とｐ個の第２の制御信号の少なくとも一部に基づいて制御可能である、インクジェット印刷装置に用いるインクジェット・プリントヘッドであって、該プリントヘッドは、
作動される際に熱を発生するインク−加熱抵抗体と、前記第１及び第２の制御信号を受信し、かつ、前記第１及び第２の制御信号の少なくとも一部に基づいて、選択されたインク−加熱抵抗体を通って電流が流れることを許容することによって、前記インク−加熱抵抗体を選択的に作動させるスイッチング回路とを有するプリントヘッドの集積回路チップであって、前記スイッチング回路が前記第１の操作モード又は前記第２の操作モードのいずれかにおいて操作可能であり、
前記第１の操作モードにおいてｑがｑ１に等しく、
前記第２の操作モードにおいてｑがｑ２に等しく、
ｑ１がｑ２の２倍に等しく、
前記第１の操作モードにおいてｐがｐ１に等しく、
前記第２の操作モードにおいてｐがｐ２に等しく、
ｐ２がｐ１の２倍に等しく、
前記第１の操作モードにおいてｑ１にｐ１を掛けた積が、前記第２の操作モードにおいてｑ２にｐ２を掛けた積に等しいプリントヘッドの集積回路チップと、
前記プリントヘッドの集積回路に接続される操作モード選択手段であって、該操作モード選択手段の配置に基づいて、スイッチング回路が第１の操作モード又は第２の操作モードにおいて動作するかを決定する操作モード選択手段と、を含むインクジェット・プリントヘッド。
【請求項２】
ｎ個の第３の制御信号の少なくとも一部に基づいて更に制御可能であり、
前記プリントヘッドの集積回路チップが更に、
少なくともｑ１にｐ１とｎを掛けた数のインク−加熱抵抗体と、
前記第３の制御信号を受信し、かつ、前記第３の制御信号の少なくとも一部に基づいて、選択されたインク−加熱抵抗体を通って電流が流れることを許容することによって、前記インク−加熱抵抗体を選択的に作動させるスイッチング回路とを含み、
前記第１の操作モードにおけるｎの値が、前記第２の操作モードにおけるｎの値に等しい、請求項１に記載のインクジェット・プリントヘッド。
【請求項３】
前記インク−加熱抵抗体が、ｑ１×ｎ個のインク−加熱抵抗体のグループを更に含み、同時に作動するｐ１個のインク−加熱抵抗体を前記各グループが含み、
前記スイッチング回路が、前記第１及び第３の制御信号に基づいて前記ｑ１×ｎ個の各グループの作動を連続的に可能にするように前記第１の操作モードにおいて操作可能であり、かつ、前記第２の制御信号に基づいて作動可能なグループ内の前記インク−加熱抵抗体のいずれかの１つを作動させるように操作可能である、請求項２に記載のインクジェット・プリントヘッド。
【請求項４】
前記インク−加熱抵抗体が、ｑ２×ｎ個のインク−加熱抵抗体のグループを更に含み、同時に作動するｐ２個のインク−加熱抵抗体を前記各グループが含み、
前記スイッチング回路が、前記第１及び第３の制御信号に基づいて前記ｑ２×ｎ個の各グループの作動を連続的に可能にするように前記第２の操作モードにおいて操作可能であり、かつ、前記第２の制御信号に基づいて作動可能なグループ内の前記インク−加熱抵抗体のいずれかの１つを作動させるように操作可能である、請求項２に記載のインクジェット・プリントヘッド。
【請求項５】
前記スイッチング回路が、
前記第１の制御信号を受信するｑ１個の第１の電気的接触と、
前記第２の制御信号を受信するｐ２個の第２の電気的接触と、
前記第３の制御信号を受信するｎ個の第３の電気的接触とを含む、請求項２に記載のインクジェット・プリントヘッド。
【請求項６】
前記操作モード選択手段が、前記インクジェット印刷装置と前記プリントヘッドの集積回路上のスイッチング回路との間における電気的接続を提供する接続回路を更に含み、
該接続回路が、
前記インクジェット印刷装置と前記第１の電気的接触の少なくとも幾つかとの間の電気的接続を提供する第１の導電ラインと、
前記インクジェット印刷装置と前記第２の電気的接触の少なくとも幾つかとの間の電気的接続を提供する第２の導電ラインと、
前記第１の操作モードにおいて、前記第２の電気的接触の幾つかを共に短絡するジャンパーラインと、
前記インクジェット印刷装置と前記少なくともｎ個の第３の電気的接触との間の電気的接続を提供する少なくともｎ個の第３の導電ラインとを含む、請求項５に記載のインクジェット・プリントヘッド。
【請求項７】
前記操作モード選択手段が、前記インクジェット印刷装置と前記プリントヘッドの集積回路上のスイッチング回路との間における電気的接続を提供する接続回路を更に含み、
該接続回路が、
前記インクジェット印刷装置と前記第１の電気的接触の少なくとも幾つかとの間の電気的接続を提供する第１の導電ラインと、
前記インクジェット印刷装置と前記第２の電気的接触の少なくとも幾つかとの間の電気的接続を提供する第２の導電ラインと、
前記第２の操作モードにおいて、前記第１の電気的接触の幾つかを共に短絡するジャンパーラインと、
前記インクジェット印刷装置と前記少なくともｎ個の第３の電気的接触との間の電気的接続を提供する少なくともｎ個の第３の導電ラインとを含む、請求項５に記載のインクジェット・プリントヘッド。
【請求項８】
前記接続回路が、
前記インクジェット印刷装置と少なくともｑ１個の前記第１の電気的接触との間の電気的接続を提供する少なくともｑ１個の前記第１の導電ラインと、
前記インクジェット印刷装置とｐ２個の前記第２の電気的接触における最初の半分との間の電気的接続を提供する少なくともｐ１個の前記第２の導電ラインと、
少なくともｐ１個の前記第２の導電ラインを、ｐ２個の前記第２の電気的接触における次ぎの半分との間で短絡する少なくともｐ１個の前記ジャンパーラインとを更に含む、請求項６に記載のインクジェット・プリントヘッド。
【請求項９】
前記接続回路が、
前記インクジェット印刷装置と少なくともｐ２個の前記第１の電気的接触との間の電気的接続を提供する少なくともｐ２個の前記第２の導電ラインと、
前記インクジェット印刷装置とｑ１個の前記第１の電気的接触における最初の半分との間の電気的接続を提供する少なくともｑ２個の前記第１の導電ラインと、
少なくともｑ２個の前記第１の導電ラインを、ｑ１個の前記第１の電気的接触における次ぎの半分との間で短絡する少なくともｑ２個の前記ジャンパーラインとを更に含む、請求項７に記載のインクジェット・プリントヘッド。
【請求項１０】
前記接続回路がフレシキブルテープ自動化接合（ＴＡＢ）回路を更に含み、
前記第１導電ライン、第２導電ライン、第３及導電ライン及びジャンパー導電ラインが、前記ＴＡＢ中に導電性金属トレースを更に含む、請求項６に記載のインクジェット・プリントヘッド。
【請求項１１】
前記接続回路がフレシキブルテープ自動化接合（ＴＡＢ）回路を更に含み、
前記第１導電ライン、第２導電ライン、第３及導電ライン及びジャンパー導電ラインが、前記ＴＡＢ中に導電性金属トレースを更に含む、請求項７に記載のインクジェット・プリントヘッド。
【請求項１２】
前記第１の操作モードにおいて、ｑ１が４であり、ｐ１が８であり、ｎが１０である、請求項２に記載のインクジェット・プリントヘッド。
【請求項１３】
前記第２の操作モードにおいて、ｑ２が２であり、ｐ２が１６であり、ｎが１０である、請求項２に記載のインクジェット・プリントヘッド。
【請求項１４】
少なくともｑ１にｐ１とｎを掛けた数のインク−加熱抵抗体であって、各々が前記第２の制御信号の１つを受信する高部側と、低部側を有するインク−加熱抵抗体と、
スイッチング回路であって、
少なくともｑ１にｐ１とｎを掛けた数の第１のスイッチングデバイスであって、その各々が前記インク−加熱抵抗体の対応する１つに連結され、その各々が、前記第１の制御信号の１つを受信する第１の制御入力と、前記第３の制御信号の１つを受信する第１の高部側入力と、第１の低部側出力とを有する第１のスイッチングデバイスと、
少なくともｑ１にｐ１とｎを掛けた数の第２のスイッチングデバイスであって、その各々が前記第１のスイッチングデバイスの対応する１つと前記インク−加熱抵抗体の対応する１つとに連結され、その各々が、連結されたインク−加熱抵抗体の前記低部側に接続された第２の高部側入力と、連結された第１のスイッチングデバイスの前記第１の低部側出力に接続された第２の制御入力と、共通の接地リターンに接続された第２の低部側出力とを有する第２のスイッチングデバイスとを有するスイッチング回路とを更に含む、請求項５に記載のインクジェット・プリントヘッド。
【請求項１５】
前記第１のスイッチングデバイスが、第１のゲート、第１のソース及び第１のドレインを有する電界効果トランジスタであり、前記第１のゲートが前記第１の制御入力であり、前記第１のドレインが前記第１の高部側入力であり、第１のソースが前記第１の低部側出力であり、
前記第２のスイッチングデバイスが、第２のゲート、第２のソース及び第２のドレインを有するパワー電界効果トランジスタであり、前記第２のゲートが前記第２の制御入力であり、前記第２のドレインが前記第２の高部側入力であり、第２のソースが前記第２の低部側出力である、請求項１４に記載のインクジェット・プリントヘッド。
【請求項１６】
対応する前記第１のスイッチングデバイスの前記第１のゲートにおいて前記第１の制御信号が高度であり、前記抵抗体の前記高部側において前記第２の制御信号が高度であり、前記第１のスイッチングデバイスの前記第１のドレインにおいて前記第３の制御信号が高度であるときに、前記インク−加熱抵抗体のいずれか１つが前記抵抗体を通って流れる電流によって作動される、請求項１５に記載のインクジェット・プリントヘッド。
【請求項１７】
前記プリントヘッドの集積回路が、
ｑ１個の前記第１の電気的接触に対応するｑ１個のインク−加熱抵抗体の選択グループであって、その各々がｐ１×ｎ個のインク−加熱抵抗体から成り、その各々がｑ１個の前記第１の制御信号の１つによって独立してアドレス可能である選択グループと、
ｐ２個の前記第２の電気的接触に対応するｐ２個の一次グループであって、その各々がｑ２×ｎ個のインク−加熱抵抗体から成り、その各々がｐ２個の前記第２の制御信号の１つによって独立してアドレス可能である一次グループとを含む、請求項６に記載のインクジェット・プリントヘッド。
【請求項１６】
前記操作モード選択手段が、前記第１の操作モードにあるときに、ｐ２個の前記第２の電気的接触における最初の半分をｐ２個の前記第２の電気的接触における次ぎの半分との間で短絡するｐ１個のジャンパー導電体を有し、これによって、前記一次グループの数をｐ１に低減し、前記各一次グループにおけるインク−加熱抵抗体の数をｑ１×ｎに増加させ、ｐ１個の前記第２の制御信号によってｐ１個の前記各一次グループが独立してアドレス可能である、請求項１５に記載のインクジェット・プリントヘッド。
【請求項１７】
前記操作モード選択手段が、前記第２の操作モードにあるときに、ｑ１個の前記第１の電気的接触における最初の半分をｑ１個の前記第１の電気的接触における次ぎの半分との間で短絡するｑ２個のジャンパー導電体を有し、これによって、前記選択グループの数をｑ２に低減し、前記各選択グループにおけるインク−加熱抵抗体の数をｐ２×ｎに増加させ、ｑ２個の前記第１の制御信号によってｑ２個の前記各選択グループが独立してアドレス可能である、請求項１５に記載のインクジェット・プリントヘッド。
【請求項１８】
ｑ個の第１の制御信号とｐ個の第２の制御信号の少なくとも一部に基づいて制御可能である、インクジェット印刷装置に用いるインクジェット・プリントヘッドであって、該プリントヘッドは、
作動される際に熱を発生するインク−加熱抵抗体と、前記第１及び第２の制御信号を受信し、かつ、前記第１及び第２の制御信号の少なくとも一部に基づいて、選択されたインク−加熱抵抗体を通って電流が流れることを許容することによって、前記インク−加熱抵抗体を選択的に作動させるスイッチング回路とを有するプリントヘッドの集積回路チップであって、前記スイッチング回路が第１の操作モード又は第２の操作モードのいずれかにおいて操作可能であり、
前記第１の操作モードにおいてｑがｑ１に等しく、
前記第２の操作モードにおいてｑがｑ２に等しく、
ｑ１がｑ２より大きく、
前記第１の操作モードにおいてｐがｐ１に等しく、
前記第２の操作モードにおいてｐがｐ２に等しく、
ｐ２がｐ１より大きいプリントヘッドの集積回路チップと、
前記プリントヘッドの集積回路に接続される操作モード選択手段であって、該操作モード選択手段の配置に基づいて、前記スイッチング回路が前記第１の操作モード又は前記第２の操作モードにおいて動作するかを決定する操作モード選択手段と、を含むインクジェット・プリントヘッド。
【発明の詳細な説明】
【０００１】
発明の分野
本発明は、一般にインクジェット・プリンタに関する。更に詳細には、本発明は、インクジェット・プリントヘッドの集積回路チップであって、２つの異なるプリンタコストにおける２つの異なる性能レベルを提供するための２つの異なる駆動機構を支持する集積回路チップに関する。
【０００２】
発明の背景
インクジェット・プリンタは、プリントヘッドが印刷媒体を横切って移動する際に、プリントヘッドのノズルからインク滴を噴射することによって印刷媒体上に画像を形成する。ノズルは一般に、プリントヘッドの移動方向に直交して整列する１つ以上のカラム内に配列される。選択されたノズルに結合するインク−加熱抵抗体が印刷制御信号に基づいて作動する際に、この選択されたノズルからインクが噴射される。
【０００３】
一般に、３次元のノズル・アドレッシング機構では、ノズルの選択は３セットの制御信号の組合せに基づく。これらの制御信号は、典型的には、フレキシブル・ワイヤリング・ハーネスによってプリンタ・コントローラ電子回路からプリントヘッド上の接点に伝達される。これらの信号は、テープ自動化接合（ＴＡＢ）回路によって、プリントヘッド接触からプリントヘッドの集積回路チップに伝達され、３セットの信号における各制御信号はＴＡＢ回路における別個の金属導電体によって伝達される。ＴＡＢ回路におけるこれらの金属導電体とフレキシブル・ワイヤリング・ハーネスにおける対応する導電体は、インク・ジェット・プリンタの全コストにおけるかなりの部分を占める。
【０００４】
従来、プリントヘッドの集積回路チップの設計は、集積回路チップの配置によって決定されるような単一の印刷解像度と印刷速度を提供する単一のプリントヘッド駆動機構を支持してきた。これは、チップ設計の有効性を狭い性能範囲に限定するものであった。
【０００５】
従来のプリントヘッド集積回路チップの設計は、単一の駆動機構に限定されるものであったので、チップをプリンタ電子回路に接続する制御ラインの数もまた、特定の数に限定されていた。このように、従来において、制御ラインの数を変更することによって異なるプリンタコストを達成する際に、完全に異なるプリントヘッドチップの設計が必要とされていた。
【０００６】
したがって、１つを超えるコスト／性能の設計事項を支持する単一のプリントヘッド集積回路チップが必要とされる。
【０００７】
発明の概要
上述の及び他の必要性は、ｑ個の第１の制御信号とｐ個の第２の制御信号の少なくとも一部に基づいて制御可能であるインクジェット・プリントヘッドによって満たされる。プリントヘッドは、作動される際に熱を発生するインク−加熱抵抗体を有するプリントヘッド集積回路チップを含む。プリントヘッド・チップはまた、前記第１及び第２の制御信号を受信し、かつ、前記第１及び第２の制御信号の少なくとも一部に基づいて、選択されたインク−加熱抵抗体を通って電流が流れることを許容することによって、インク−加熱抵抗体を選択的に作動させるスイッチング回路を有する。スイッチング回路は、第１の操作モード又は第２の操作モードのいずれかにおいて操作可能であり、ここで、第１の操作モードにおいてｑはｑ１に等しく、第２の操作モードにおいてｑはｑ２であり、ｑ１はｑ２より大きい。最も好適な実施態様では、ｑ１はｑ２の２倍である。第１の操作モードにおいてｐはｐ１に等しく、第２の操作モードにおいてｐはｐ２に等しく、ｐ２はｐ１より大きい。最も好ましくは、ｐ２はｐ１の２倍である。最も好適な実施態様では、第１の操作モードにおいてｑ１にｐ１を掛けた積が、第２の操作モードにおいてｑ２にｐ２を掛けた積に等しい。プリントヘッドはまた、プリントヘッドの集積回路に接続される操作モード選択手段を含む。操作モード選択手段は、その配置に基づいて、スイッチング回路が第１の操作モード又は第２の操作モードにおいて動作するかを決定する。
【０００８】
第１の操作モードにおいて、プリントヘッドは、画像を完全に印刷するために、印刷媒体を横切って４回通過する必要があり、第２の操作モードにおいては２回の通過のみが必要である。このように、第２の操作モードによって実行されるプリントヘッドは、高度な性能の設計事項を示す。しかしながら、第１の操作モードによって実行されるプリントヘッドは、製造するのに廉価である。したがって、本発明は、２つの異なるコスト／性能の設計事項に用いる単一のプリントヘッド集積回路チップを提供するものであり、この設計事項の選択は操作モード選択回路の配置に依存する。
【０００９】
一定の尺度で表わされておらず、かつ、幾つかの図面を通して同じ参照文字は同じ又は同様の要素を表わす図面と共に考慮する際に、好適な実施態様の詳細な説明を参照することによって、本発明の更なる利点が明らかになるであろう。
【００１０】
発明の詳細な説明
印刷媒体１４上に画像１２を印刷するためのインクジェット・プリンタ１０の機能ブロック図が、図１に示される。プリンタ１０は、ホストコンピュータ１８からの画像データを受信するデジタル・マイクロプロセッサのようなプリンタ・コントローラ１６を含む。一般に、ホストコンピュータ１８によって生成される画像データは、ビットマップ・フォーマットに画像１２を記載する。このようなフォーマットは、二次元の直交座標システムにおいて、画素又は画像要素の集積として画像１２を表わす。各画素に対して、画像データは、印刷媒体１４上の直交座標と、画素がオン又はオフ（印刷されるか又は印刷されないか）であるかを示す。典型的には、ホストコンピュータ１８は、画像１２を画素の水平列に分割し、各列を横切って画素から画素へとステップし、列における各画素の順序に従って各画素の画像データを書くことによって画像データを“ラスター化する”。
【００１１】
ホストコンピュータ１８からの画像データに基づいて、プリンタ・コントローラ１６は印刷制御信号を発生する。本発明に係る好適な３次元アドレッシング・システムでは、これらの制御信号は、第１、第２及び第３の信号を含む。第１、第２及び第３の信号は、ここではクワッド選択信号、アドレス信号及び一次信号と言う。
【００１２】
図１及び２に示すように、プリンタ１０は、プリンタ・コントローラ１６からの印刷制御信号を受信するプリントヘッド２０を含む。プリントヘッド２０上では、サーマル・インクジェットの集積回路チップ２２がノズルプレートによって覆われている。ノズルプレート内では、２つのカラム・ノズルアレイ中にノズルが配置されている。プリンタ・コントローラ１６からの印刷制御信号に基づき、選択されたノズルからインク滴が噴射され、印刷媒体１４上に画像１２の画素に対応するドットを形成する。コントローラ１６からの印刷制御信号によってチップ２２上の対応するインク−加熱抵抗体が作動すると、インクがノズルから選択的に噴射される。
【００１３】
図１を参照するに、プリンタ１０は、矢印２６によって示される走査方向において、印刷媒体１４を横切ってプリントヘッド２０を走査するプリントヘッド走査機構２４を含む。好ましくは、プリントヘッド走査機構２４は、１つ以上のレール上を水平に滑動する運搬台、運搬台に取り付けられたベルト、ならびに、レールに沿って運搬台を移動させるベルトに係合するモータから成る。モータは、プリンタ・コントローラ１６によって発生される走査命令に応答して駆動される。
【００１４】
プリンタ１０は印刷媒体前進機構２８も含む。コントローラ１６によって発生される印刷媒体前進命令に基づき、プリントヘッド２０の連続走査の間、印刷媒体１４が印刷媒体前進機構２８によって矢印３０によって示される紙前進方向に前進する。このように、印刷媒体１４がスワース間において前進方向に前進する際に、多数の隣接するスワースを印刷することによって画像１２が印刷媒体１４上に形成される。本発明の好適な実施態様では、印刷媒体前進機構２８は印刷媒体１４と接するプラテンを回転させるステッパモータである。
【００１５】
図１に示されるように、印刷制御信号は、好ましくは、ワイヤリング・ハーネス３１に含まれる制御ラインＱ、Ｐ及びＡの３セットによって、プリントヘッド２０に伝達される。制御ラインの第１のセット（Ｑで表わされる）は、ｑ個のクワッド選択信号を伝達し、制御ラインの第２のセット（Ａで表わされる）は、ｎ個のアドレス信号を伝達し、制御ラインの第３のセット（Ｐで表わされる）は、ｐ個の一次信号を伝達する。ここで、より詳細に説明するように、ｑ、ｎ及びｐの値である各セットの制御ラインの対応する数は、プリンタ１０の選択された性能／コストの設計事項に依存する。
【００１６】
テープ自動化接合（ＴＡＢ）回路３２がプリントヘッド２０に取付けられ、好ましくは、ＴＡＢはポリイミドテープのフレキシブル基板上に形成される。プリントヘッドの集積回路チップ２２は、ＴＡＢ回路３２のウインドウ内に取付けられる。図２に示されるように、ＴＡＢ回路３２の柔軟な性質により、プリントヘッド２０の中心３４の周囲でＴＡＢ回路３２が曲げられる。プリンタ１０内におけるＴＡＢ回路３２と制御ラインＱ、Ｐ及びＡとの間の電気的接続は、ＴＡＢ回路３２上のＴＡＢ接触３６のセットによって提供される。ＴＡＢ接触３６とチップ２２との間の電気的接続は、ＴＡＢ回路３２の基板材料上に形成された導電体のセットによって提供される。導電体の位置は、図２において点外線の領域３８によって表わされる。一般に、チップ２２上の対応する導電体に、各ＴＡＢ接触３６を電気的に接続する別個の導電体が存在する。以下においてより詳細に説明するように、ＴＡＢ回路３２上にあって、かつ、ワイヤリング・ハーネス３１内にあるこれら導電体の数は、プリンタ１０の選択された性能／コストの設計事項に依存する。
【００１７】
図３Ａ及び３Ｂは、プリントヘッド・チップ２２の好適な配置を示す。チップ２２の２つの最長縁に沿って、ＴＡＢ回路３２上の導電体に接続点を提供する電気的接触４０が設けられている。好ましくは、これらのチップ接触４０は、ｑ１個の第１の電気的接触であって、ここではクワッド選択接触ＣＱ１〜ＣＱ４と言う電気的接触と、ｎ個の第３の電気的接触であって、ここではアドレス接触ＣＡ１〜ＣＡ１０と言う電気的接触と、ｐ２個の第２の電気的接触であって、ここでは一次接触ＣＰ１〜ＣＰ１６と言う電気的接触とを含む。本発明の好適な実施態様では、ｑ１は４、ｎは１０、ｐ２は１６である。好ましくは、インクビア４２がチップ２２の中心近傍に配置される。インクビア４２のいずれかの側において、チップ領域４４ａ及び４４ｂが設けられ、これらの領域にインク−加熱抵抗体と選択ロジックデバイスが配置される。
【００１８】
図３Ａは、プリンタ１０の第１の操作モードを実行する、接触４０に接続された導電体の配置を更に示し、第２の操作モードを実行する、接触４０に接続された導電体の配置を更に示す。ＴＡＢ回路３２上のこれらの導電体は操作モード選択回路を含み、操作モード選択回路の配置は、プリントヘッド・チップ２２が機能する操作モードと、プリンタ１０の性能／コスト事項とを決定する。これらの導電体の可能な配置、ならびに、プリンタ１０の操作に対するこれらの導電体の影響は、以下においてより詳細に説明される。
【００１９】
本発明の好適な実施態様は、３百２０十（３２０）のインク−加熱抵抗体Ｒ１〜Ｒ３２０を含む。図４に示されるように、抵抗体Ｒ１〜Ｒ３２０は、好ましくは、２つの主カラム４６ａ及び４６ｂ内においてチップ２２上に配置された薄いフィルム状の抵抗体であり、４６ａ及び４６ｂの各々のカラムは、各セット当たり２０個の抵抗体を備えた８つのセットを有する。図４Ａはカラム４６ａ及び４６ｂの下半分を示し、図４Ｂはその上半分を示す。カラム４６ａは抵抗体Ｒ１〜Ｒ１６０を含み領域４４ａ内に配置され（図３Ａ〜Ｂ参照）、カラム４６ｂは抵抗体Ｒ１６１〜Ｒ３２０を含み領域４４ｂ内に配置される。好ましくは、カラム４６ａは、抵抗体間の垂直距離の１／２だけカラム４６ｂから垂直方向にずれている。好適な実施態様では、この垂直方向のずれは１／６００インチである。
【００２０】
１６セットの抵抗体の各々は、水平方向に分離した２つのサブカラムに分割され、各サブカラムは１０個の抵抗体を備える。好適な実施態様では、セット内におけるサブカラム間の水平方向のずれは、１／１２００インチである。好ましくは、各サブカラム内の１０個の抵抗体は、１／１５０インチの間隔で垂直方向に配列する。図４Ａ及び４Ｂに示されるように、各セット内の２つのサブカラムは、サブカラム内におけるヒータ間の間隔の１／２だけ、他方のサブカラムから垂直方向にずれている。好適な実施態様では、この垂直方向にずれは１／３００インチである。
【００２１】
好ましくは、垂直方向において隣接するセットは、サブカラム間の水平方向における間隔の２倍だけ他方のセットから水平方向にずれている。好適な実施態様では、この水平方向のずれは１／６００インチである。図４Ａ及び４Ｂに示されるように、各カラム４６ａ、４６ｂ内の交互のセットは垂直方向に配列する。
【００２２】
図５Ａ〜５Ｈは、プリントヘッド・チップ２２上の回路要素の好適な実施態様の概略図を集合的に示す。この回路要素は、インク−加熱抵抗体Ｒ１〜Ｒ３２０と、クワッド選択信号ラインＱ１〜Ｑ４のクワッド選択信号、アドレス信号ラインＡ１〜Ａ１０のアドレス信号、ならびに、一次信号ラインＰ１〜Ｐ１６の一次信号に基づいて、各抵抗体Ｒ１〜Ｒ３２０を選択し作動させるスイッチング回路とを含む。スイッチング回路は、第１、第２及び第３のスイッチングデバイスを含み、ここではこれらのデバイスを、パス−ゲート・デバイスＰＧ１〜ＰＧ３２０、パワードライバー・デバイスＤ１〜Ｄ３２０、ならびに、プルダウン・デバイスＰＤ１〜ＰＤ３２０とそれぞれ言う。好ましくは、パス−ゲート・デバイスＰＧ１〜ＰＧ３２０及びプルダウン・デバイスＰＤ１〜ＰＤ３２０は、ＪＦＥＴｓであり、パワードライバー・デバイスＤ１〜Ｄ３２０はＮＭＯＳパワートランジスタである。
【００２３】
インク−加熱抵抗体Ｒ１〜Ｒ３２０の各々は、一次信号ラインＰ１〜Ｐ１６の１つに接続される高部側と、パワードライバー・デバイスＤ１〜Ｄ３２０の連結された１つの第２の高部側入力であって好ましくはドレインに接続される低部側とを有する。パワードライバー・デバイスＤ１〜Ｄ３２０の各々は、第２の低部側出力であって好ましくはソースを有し、これは共通の接地リターンに接続される。パワードライバー・デバイスＤ１〜Ｄ３２０の各々のゲートは、第２の制御入力として作用する。好適な実施態様では、パワードライバーＤ１〜Ｄ３２０のゲートの制御信号が高度であるとき、パワードライバーＤ１〜Ｄ３２０は、閉じられたスイッチのように働いて“オン”である。したがって、パワードライバーＤ１〜Ｄ３２０が“オン”であるとき、連結されたインク−加熱抵抗体Ｒ１〜Ｒ３２０の低部側は接地されている。連結されたパワードライバーＤ１〜Ｄ３２０が“オン”であって、一次信号ラインＰ１〜Ｐ１６の連結された１つにおいて一次信号が高度になるとき、連結されたインク−加熱抵抗体Ｒ１〜Ｒ３２０を通って電流が流れる。この電流は、抵抗体Ｒ１〜Ｒ３２０の表面に近接するインクに伝わる熱の形態で抵抗体Ｒ１〜Ｒ３２０にエネルギーを放散させる。
【００２４】
パワードライバーＤ１〜Ｄ３２０のゲートが高度であるかどうか、したがって、パワードライバーＤ１〜Ｄ３２０が“オン” であるかどうかは、連結されたクワッド選択信号ラインＱ１〜Ｑ４のクワッド選択信号の状態、ならびに、連結されたアドレス信号ラインＡ１〜Ａ１０のアドレス信号の状態に依存する。図５Ａ〜５Ｈに示されるように、クワッド選択信号ラインＱ１〜Ｑ４の１つは、パス−ゲート・デバイスＰＧ１〜ＰＧ３２０の各々における第１の制御入力であって好ましくはゲートに接続される。ゲートのクワッド選択信号が高度であるとき、パス−ゲート・デバイスＰＧ１〜ＰＧ３２０は、閉じられたスイッチのように働いて“オン”である。アドレスラインＡ１〜Ａ１０の１つは、パス−ゲート・デバイスＰＧ１〜ＰＧ３２０の第１の高部側入力であって好ましくはドレインに接続される。パス−ゲート・デバイスＰＧ１〜ＰＧ３２０の各々は、連結されたパワードライバーＤ１〜Ｄ３２０のゲートに接続される第１の低部側出力であって好ましくはソースを有する。パス−ゲート・デバイスＰＧ１〜ＰＧ３２０が“オン”であるとき（クワッド選択信号が高度である）、パス−ゲート・デバイスＰＧ１〜ＰＧ３２０のドレインのアドレス信号が、連結されたパワードライバーＤ１〜Ｄ３２０のゲートを通る。したがって、好適な実施態様では、パス−ゲート・デバイスＰＧ１〜ＰＧ３２０におけるゲートのクワッド選択信号とドレインのアドレス信号が共に高度であるとき、連結されたパワードライバーＤ１〜Ｄ３２０は“オン”である。
【００２５】
図５Ａ〜５Ｈに示されるように、プルダウン・デバイスＰＤ１〜ＰＤ３２０はパワードライバーＤ１〜Ｄ３２０の各々に連結される。プルダウン・デバイスＰＤ１〜ＰＤ３２０の各々の高部側入力であって好ましくはドレインが、対応するパワードライバーＤ１〜Ｄ３２０のゲートに接続され、プルダウン・デバイスＰＤ１〜ＰＤ３２０の各々の低部側出力であって好ましくはソースが、共通の接地リターンに接続される。プルダウン・デバイスＰＤ１〜ＰＤ３２０が“オン”であるとき、対応するパワードライバーＤ１〜Ｄ３２０のゲートは接地される。したがって、プルダウン・デバイスＰＤ１〜ＰＤ３２０が“オン”であるとき、対応するパワードライバーＤ１〜Ｄ３２０のゲートは“オフ”である。プリントヘッド・チップ２２の操作モードの１つによるプルダウン・デバイスＰＤ１〜ＰＤ３２０の目的と機能が、以下により詳細に説明される。
【００２６】
図５Ａに示されるように、抵抗体Ｒ１〜Ｒ２０は一次ラインＰ１に接続され、抵抗体Ｒ１６１〜Ｒ１８０は一次ラインＰ２に接続される。議論の便宜上、一次ラインＰ１に接続される全てのデバイスは第１の一次グループと言い、一次ラインＰ２に接続される全てのデバイスは第２の一次グループと言う。一次ラインＰ１及びＰ２は一次接触ＣＰ１及びＣＰ２にそれぞれ接続される。
【００２７】
奇数番号のパス−ゲート・デバイスＰＧ１〜ＰＧ１９及びＰＧ１６１〜ＰＧ１７９のゲートは、クワッド選択ラインＱ１に接続され、偶数番号のパス−ゲート・デバイスＰＧ２〜ＰＧ２０及びＰＧ１６２〜ＰＧ１８０のゲートは、クワッド選択ラインＱ２に接続される。議論の便宜上、クワッド選択ラインＱ１に接続される全てのデバイスは第１のクワッドグループと言い、クワッド選択ラインＱ２に接続される全てのデバイスは第２のクワッドグループと言う。
【００２８】
奇数番号のプルダウン・デバイスＰＤ１〜ＰＧ１９及びＰＤ１６１〜ＰＧ１７９のゲートは、プルダウン信号ラインＱ２Ｐに接続され、偶数番号のプルダウン・デバイスＰＤ２〜ＰＤ２０及びＰＤ１６２〜ＰＤ１８０のゲートは、プルダウン信号ラインＱ１Ｐに接続される。
【００２９】
図５Ｂに示されるように、抵抗体Ｒ２１〜Ｒ４０は一次ラインＰ３に接続され、抵抗体Ｒ１８１〜Ｒ２００は一次ラインＰ４に接続される。議論の便宜上、ク一次ラインＰ３に接続される全てのデバイスは第３の一次グループと言い、一次ラインＰ４に接続される全てのデバイスは第４の一次グループと言う。一次ラインＰ３及びＰ４は一次接触ＣＰ３及びＣＰ４にそれぞれ接続される。
【００３０】
奇数番号のパス−ゲート・デバイスＰＧ２１〜ＰＧ３９及びＰＧ１８１〜ＰＧ１９９のゲートは、クワッド選択ラインＱ３に接続され、偶数番号のパス−ゲート・デバイスＰＧ２２〜ＰＧ４０及びＰＧ１８２〜ＰＧ２００のゲートは、クワッド選択ラインＱ４に接続される。議論の便宜上、クワッド選択ラインＱ３に接続される全てのデバイスは第３のクワッドグループと言い、クワッド選択ラインＱ４に接続される全てのデバイスは第４のクワッドグループと言う。
【００３１】
奇数番号のプルダウン・デバイスＰＤ２１〜ＰＧ３９及びＰＤ１８１〜ＰＧ１９９のゲートは、プルダウン信号ラインＱ４Ｐに接続され、偶数番号のプルダウン・デバイスＰＤ２２〜ＰＤ４０及びＰＤ１８２〜ＰＤ２００のゲートは、プルダウン信号ラインＱ３Ｐに接続される。
【００３２】
好ましくは、アドレスバスＡにおける１０本のアドレスラインＡ１〜Ａ１０の各々は、各一次グループにおける１つの奇数番号及び１つの偶数番号のパス−ゲート・デバイスのドレインに接続される。
【００３３】
上述のように、図５Ａ及び５Ｂに示されるデバイス接続のパターンは、図５Ｃ〜５Ｈに示されるように、残存する一次グループに対しても続けられる。残存する一次グループの各々に対して、一次ラインＰ５〜Ｐ１６は一次接触ＣＰ５〜ＣＰ１６にそれぞれ接続される。図５Ｇ及び５Ｈに示されるように、クワッド選択信号ラインＱ１〜Ｑ４はクワッド選択接触ＣＱ１〜ＣＱ４に接続され、プルダウン信号ラインＱ１Ｐ〜Ｑ４Ｐはプルダウン接触ＣＱ１Ｐ〜ＣＱ４Ｐに接続され、アドレス信号ラインＡ１〜Ａ１０はアドレス接触ＣＡ１〜ＣＡ１０に接続される。
【００３４】
下記表Ｉ、ＩＩ、ＩＩＩ及びＩＶは、クワッド選択信号ライン、一次信号ライン及びアドレス信号ラインに対する抵抗体番号の関係を示す。
【００３５】
【表１】
2004500999.tif 000003
【００３６】
【表２】
2004500999.tif 000004
【００３７】
【表３】
2004500999.tif 000005
【００３８】
【表４】
2004500999.tif 000006
【００３９】
図５Ａ〜５Ｈによって示されるように、２０個（ｑ２×ｎ＝２×１０）のインク−加熱抵抗体の１６個（ｐ２）の一次グループの各々は、１６本の一次ラインＬＰ１〜ＬＰ１６における別個の１つに接続され、これらの一次ラインはチップ２２上の対応する１６個の一次接触ＣＰ１〜ＣＰ１６に至る。このように、チップ上における１６個の一次グループの各々は、プリンタ・コントローラ１６からの一次信号によって独立にアドレス可能である。同様に、８０個（ｐ１×ｎ＝８×１０）のインク−加熱抵抗体の４個（ｑ１）のクワッド選択グループの各々は、４本のクワッド選択ラインＬＱ１〜ＬＱ４における別個の１つに接続され、これらのクワッド選択ラインはチップ２２上の対応する４個のクワッドセンタク接触ＣＱ１〜ＣＱ４に至る。したがって、チップ上における４個のクワッド選択グループの各々は、プリンタ・コントローラ１６からのクワッド選択信号によって独立にアドレス可能である。換言すれば、チップ２２上の各一次グループは他の一次グループとは独立してアドレスされ、各クワッド選択グループは他のクワッド選択ループとは独立してアドレスされる。
【００４０】
３２０個の抵抗体をアドレスするのに必要なものより更に多くの独立してアドレス可能な一次グループとクワッド選択グループをチップ２２が提供することを、当業者は認識するであろう。実際に、チップ２２上に設けられた１６本の一次ライン、４本のクワッド選択ライン及び１０本のアドレスラインで、６４０個の抵抗体がアドレス可能であった。しかしながら、下記において更に詳細に説明されるように、単一のプリントヘッド・チップの設計を用いて２つの異なるコスト／性能の設計事項のいずれか１つにおいて操作するためにプリンタ１０が製造されるように、これらの特別な信号ラインが提供される。
【００４１】
図３Ａについて再び言及すると、ＴＡＢ回路３２上における導電体の第１の配置は、プリントヘッド・チップ２２の第１の操作モードを選択するように示されている。この第１の配置では、ＴＡＢ回路３２上のクワッド選択導電体ＬＱ１、ＬＱ２、ＬＱ３及びＬＱ４は、チップ２２上の対応するクワッド選択接触ＣＱ１、ＣＱ２、ＣＱ３及びＣＱ４に接続され、ＴＡＢ回路３２上の一次導電体ＬＰ３、ＬＰ４、ＬＰ７、ＬＰ８、ＬＰ１１，ＬＰ１２、ＬＰ１５及びＬＰ１６は、チップ２２上の対応する一次接触ＣＰ３、ＣＰ４、ＣＰ７、ＣＰ８、ＣＰ１１、ＣＰ１２、ＣＰ１５及びＣＰ１６に接続され、ＴＡＢ回路３２上のアドレス導電体ＬＡ１〜ＬＡ１０は、チップ２２上の対応するアドレス接触ＣＡ１〜ＣＡ１０に接続される。ＴＡＢ回路３２上のプルダウン・ジャンパー導電体ＪＱ１Ｐ、ＪＱ２Ｐ、ＪＱ３Ｐ及びＪＱ４Ｐは、クワッド選択導電体ＬＱ１、ＬＱ２，ＬＱ３及びＬＱ４と、チップ２２上の対応するプルダウン接触ＣＱ１Ｐ，ＣＱ２Ｐ、ＣＱ３Ｐ及びＣＱ４Ｐとを短絡する。ＴＡＢ回路３２上の一次ジャンパー導電体ＪＰ１、ＪＰ２、ＪＰ５、ＪＰ６、ＪＰ９、ＪＰ１０，ＪＰ１３及びＪＰ１４は、一次接触ＣＰ１、ＣＰ２、ＣＰ５、ＣＰ６、ＣＰ９、ＣＰ１０，ＣＰ１３及びＣＰ１４と、一次導電体ＬＰ３、ＬＰ４、ＬＰ７、ＬＰ８、ＬＰ１１、ＬＰ１２、ＬＰ１５及びＬＰ１６とをそれぞれ短絡する。
【００４２】
このように、図３Ａに示されるＴＡＢ回路の導電体の配置は、一次信号ラインＰ１〜Ｐ３、Ｐ２〜Ｐ４、Ｐ５〜Ｐ７、Ｐ６〜Ｐ８、Ｐ９〜Ｐ１１、Ｐ１０〜Ｐ１２、Ｐ１３〜Ｐ１５及びＰ１４〜Ｐ１６を短絡する。この方法で、８個の一次グループの各々において４０（ｑ１×ｎ＝４×１０）のインク−加熱抵抗体Ｒ１〜Ｒ３２０により、独立してアドレス可能な一次グループの数が１６個から８個に低減される。これは、プリンタ・コントローラ１６からチップ２２に伝達されるべき２２個の制御信号全体に対して、８個の一次信号（ｐ＝ｐ１＝８）、４個のクワッド選択信号（ｑ＝ｑ１＝４）及び１０個のアドレス信号（ｎ＝１０）から成るアドレッシング機構を提供する。このように、ＴＡＢ回路３２の第１の実行では、ワイヤリング・ハーネス３１において２２個の制御信号導電体のみが必要であり、ＴＡＢ回路３２上において２２個の制御信号接触のみが必要である。したがって、この第１の実行はプリンタ１０のコストをかなり低減する。
【００４３】
図６Ａは、プリントヘッド・チップ２２が第１の操作モードにアドレスされる際における、好適な信号タイミング機構を示すタイミング図である。図６Ａに示されるように、連続したクワッド選択４６ａ〜４６ｄの間、クワッド選択ラインＱ１〜Ｑ４のクワッド選択信号は高度である。好ましくは、各クワッド選択ウインドウ４６ａ〜４６ｄは約３１．２４５マイクロ秒間持続する。各クワッド選択ウインドウ４６ａ〜４６ｄの間、アドレスラインＡ１〜Ａ１０の各アドレス信号は、約２．６マイクロ秒の期間から成る連続したアドレスウインドウ４８内で高度になる。いずれのアドレスウインドウ４８の間においても、画像データにより決定されるように、プリンタ・コントローラ１６は、画像データによって決定されるように、８本の一次ラインＰ１、Ｐ２、Ｐ５、Ｐ６、Ｐ９、Ｐ１０、Ｐ１３及びＰ１４上において一次信号の幾つか又は全てを駆動する。このように、第１の操作モードにおいて、プリントヘッド２０が印刷媒体１４を横切って走査する際に、連続して動作可能な４０（ｑ１×ｎ＝４×１０）グループの抵抗体が存在し、これら４０グループのいずれか１つにある８個（ｐ１＝８）の抵抗体が、このグループが動作可能な際に、同時に作動する。
【００４４】
ＴＡＢ回路３２上のクワッド選択信号導電体ＬＱ１がプルダウン接触ＣＱ１Ｐとの間で短絡されるので、クワッド選択ウインドウ４６ａの間において偶数番号のプルダウン・デバイスＰＤ２〜ＰＤ２０及びＰＤ１６２〜ＰＤ１８０の全てのゲートは高度である。このように、クワッド選択ウインドウ４６ａの間において、第２のクワッドグループにおけるパワードライバーＰＤ２〜ＰＤ２０及びＰＤ１６２〜ＰＤ１８０は“オフ”である。また、ＴＡＢ回路３２上のクワッド選択信号導電体ＬＱ２がプルダウン接触ＣＱ２Ｐとの間で短絡されるので、クワッド選択ウインドウ４６ｂの間において奇数番号のプルダウン・デバイスＰＤ１〜ＰＤ１９及びＰＤ１６１〜ＰＤ１７９の全てのゲートは高度である。このように、クワッド選択ウインドウ４６ｂの間において、第１のクワッドグループにおけるパワードライバーＰＤ１〜ＰＤ１９及びＰＤ１６１〜ＰＤ１７９は“オフ”である。図には示さないが、クワッド選択ウインドウ４６ａ及び４６ｂの間において、パワーデバイスＰＤ２１〜ＰＤ４０及びＰＤ１８１〜ＰＤ２００が“オフ”となるように、Ｑ１及びＱ２は他のプルダウン・デバイスに接続されてもよい。同様に、クワッド選択信号導電体ＬＱ３がプルダウン接触ＣＱ３Ｐとの間で短絡されるので、クワッド選択ウインドウ４６ｃの間において偶数番号のプルダウン・デバイスＰＤ２２〜ＰＤ４０及びＰＤ１８２〜ＰＤ２００の全てのゲートは高度である。このように、クワッド選択ウインドウ４６ｃの間において、第３のクワッドグループにおけるパワードライバーＰＤ２２〜ＰＤ４０及びＰＤ１８２〜ＰＤ２００は“オフ”である。さらに、クワッド選択信号導電体ＬＱ４がプルダウン接触ＣＱ４Ｐとの間で短絡されるので、クワッド選択ウインドウ４６ｄの間において奇数番号のプルダウン・デバイスＰＤ２１〜ＰＤ３９及びＰＤ１８１〜ＰＤ１９９の全てのゲートは高度である。このように、クワッド選択ウインドウ４６ｄの間において、第４のクワッドグループにおけるパワードライバーＰＤ２２〜ＰＤ３９及びＰＤ１８１〜ＰＤ１９９は“オフ”である。図には示さないが、クワッド選択ウインドウ４６ｃ及び４６ｄの間において、パワーデバイスＰＤ１〜ＰＤ２０及びＰＤ１６１〜ＰＤ１８０が“オフ”となるように、Ｑ３及びＱ４は他のプルダウン・デバイスに接続されてもよい。
【００４５】
プリントヘッド走査機構２４が、右側から左側に印刷媒体１４を横切ってプリントヘッド２０を走査する際に、図６Ａに示される信号変化が起こる。プリントヘッド２０が左側から右側に走査する際に、クワッド選択ウインドウ変化の順序は反対となり、最初はＱ４が高度であり、次にＱ３、Ｑ２及びＱ１が高度となる。本発明の好適な実施態様では、第１の操作モードにおけるプリントヘッド２０の走査速度は約２６．６７インチ／秒である。このように、１つのアドレスウインドウ４８の間に、プリントヘッド２０は走査方向に約６．９３×１０−５インチ移動する。１つのクワッド選択ウインドウ４６ａ〜４６ｄの間に、プリントヘッド２０は約８．３３×１０−４（１／１２００）インチ移動する。これは、抵抗体Ｒ１〜Ｒ３２０の全てをアドレスするのに必要な時間の間、プリントヘッド２０が４／１２００（１／３００）インチ移動することを意味する。
【００４６】
好ましくは、第１の操作モードにおいて、インクをできるだけ最速で乾燥させるために、チェッカーボードパターンでインク滴を印刷媒体１４に付着させる。好ましくは、本発明は、印刷媒体１４上に１／６００インチの直径のスポットを満たす２つのインク滴を使用する。プリントヘッド２０が印刷媒体１４を横切って４回通過することは、全ての可能な印刷スワースを満たすことを要求されるので、これは４回パスの実行と言われている。
【００４７】
プリントヘッド・チップ２２の第２の操作モードを実行するための、ＴＡＢ回路３２上における導電体の第２の配置が、図３Ｂに示される。この第２の配置では、ＴＡＢ回路３２上のクワッド選択導電体ＬＱ１及びＬＱ２は、チップ２２上の対応するクワッド選択接触ＣＱ１及びＣＱ２に接続され、ＴＡＢ回路３２上の一次導電体ＬＰ１〜ＬＰ１６は、チップ２２上の対応する一次接触ＣＰ１〜ＣＰ１６に接続され、ＴＡＢ回路３２上のアドレス導電体ＬＡ１〜ＬＡ１０は、チップ２２上の対応するアドレス接触ＣＡ１〜ＣＡ１０に接続される。チップ２２上のプルダウン接触ＣＱ１Ｐ、ＣＱ２Ｐ、ＣＱ３Ｐ及びＣＱ４Ｐは、共通の接地リターンに接続される。ＴＡＢ回路３２上のクワッド選択ジャンパー導電体ＪＱ３及びＪＱ４は、クワッド選択接触ＣＱ３及びＣＱ４と、クワッド選択導電体ＬＱ１及びＬＱ２とをそれぞれ短絡する。
【００４８】
このように、図３Ｂに示されるＴＡＢ回路の導電体の配置は、クワッド選択信号ラインＱ１〜Ｑ３及びＱ２〜Ｑ４を短絡する。この方法で、８個のクワッド選択グループの各々において１６０（ｐ２×ｎ＝１６×１０）のインク−加熱抵抗体Ｒ１〜Ｒ３２０により、独立してアドレス可能なクワッド選択グループの数が４個から２個に低減される。これは、プリンタ・コントローラ１６からチップ２２に伝達されるべき２８個の制御信号全体に対して、１６個の一次信号（ｐ＝ｐ２＝１６）、２個のクワッド選択信号（ｑ＝ｑ２＝２）及び１０個のアドレス信号（ｎ＝１０）から成るアドレッシング機構を提供する。
【００４９】
図６Ｂは、プリントヘッド・チップが第２の操作モードにおいてアドレスされる際の、好適な信号タイミング機構を示すタイミング図である。図６Ｂに示されるように、クワッド選択ウインドウ５０ａの間、クワッド選択ラインＱ１及びＱ３上のクワッド選択信号は同時に高度である。続いて、クワッド選択ウインドウ５０ｂの間、クワッド選択ラインＱ２及びＱ４上のクワッド選択信号は同時に高度である。好ましくは、各クワッド選択ウインドウ５０ａ〜５０ｂは約４１．６７マイクロ秒間持続する。各クワッド選択ウインドウ５０ａ〜５０ｂの間で、約３．４７マイクロ秒の間隔をもった一連のアドレス・ウインドウにおいて、アドレスラインＡ１〜Ａ１０の各アドレス信号は高度になる。いずれのアドレス・ウインドウ５２間においても、プリンタ・コントローラ１６は、画像データによって決定されるように、１６本の一次ラインＰ１〜Ｐ１６上において一次信号の幾つか又は全てを駆動する。このように、この第２の操作モードにおいて、プリントヘッド２０が印刷媒体１４を横切って走査する際に、連続して動作可能な２０（ｑ２×ｎ＝２×１０）グループの抵抗体が存在し、これら２０グループのいずれか１つにある１６個の抵抗体が、このグループが動作可能な際に、同時に作動する。
【００５０】
本発明の好適な実施態様では、第２の操作モードにおけるプリントヘッド２０の走査速度は、約２０．０インチ／秒である。このように、１つのアドレス・ウインドウ５２の間に、プリントヘッド２０は走査方向に約６．９３×１０−５インチ移動する。第２の操作モードにおける１つのクワッド選択ウインドウ５０ａ〜５０ｂの間、プリントヘッド１２は、第１の操作モードにおける１つのクワッド選択ウインドウ４６ａ〜４６ｂの間とほぼ同じ距離（１／１２００インチ）移動する。しかしながら、第２の操作モードにおいて、プリントヘッド２０が２／１２００（又は１／６００）インチ移動するのに必要な時間の間に、抵抗体Ｒ１〜Ｒ３２０の全てがアドレスされる。このように、第２の操作モードは、印刷スワースにおける全ての可能な印刷位置を満たすために、プリントヘッド２０が印刷媒体１４を横切って２回だけ通過することを必要とする。したがって、第２の操作モードで操作する本発明は、第１のモードでの操作のときより更に高速で印刷する。しかしながら、第２の実行は、一次ラインＰ１〜Ｐ１６の数が大きいので、製造するのにより高価である。
【００５１】
修正及び／又は変更が本発明の実施態様においてなされることが企図され、これは前述の説明及び添付図面から当業者に明らかであろう。したがって、前述の説明及び添付図面は好適な実施態様の例示であり、これらに限定されるものではなく、更に、本発明の正しい意図及び範囲は、添付の特許請求の範囲を参照することによって決定されることが明白に企図される。
【図面の簡単な説明】
【図１】
図１は、本発明の好適な実施態様によるインクジェット・プリンタの機能ブロック図である。
【図２】
図２は、本発明の好適な実施態様によるインクジェット・プリントヘッドを示す。
【図３Ａ】
図３Ａは、本発明の好適な実施態様によるＴＡＢ導電体形状を示す。
【図３Ｂ】
図３Ｂは、本発明の好適な実施態様によるＴＡＢ導電体形状を示す。
【図４Ａ】
図４Ａは、本発明の好適な実施態様によるプリントヘッド・チップ上のインク−加熱抵抗体の形状を示す。
【図４Ｂ】
図４Ｂは、本発明の好適な実施態様による、プリントヘッド・チップ上のインク−加熱抵抗体の形状を示す。
【図５Ａ】
図５Ａは、本発明の好適な実施態様による、プリントヘッド・チップ上のインク−加熱抵抗体と抵抗体選択回路要素を集合的に示す概略図である。
【図５Ｂ】
図５Ｂは、本発明の好適な実施態様による、プリントヘッド・チップ上のインク−加熱抵抗体と抵抗体選択回路要素を集合的に示す概略図である。
【図５Ｃ】
図５Ｃは、本発明の好適な実施態様による、プリントヘッド・チップ上のインク−加熱抵抗体と抵抗体選択回路要素を集合的に示す概略図である。
【図５Ｄ】
図５Ｄは、本発明の好適な実施態様による、プリントヘッド・チップ上のインク−加熱抵抗体と抵抗体選択回路要素を集合的に示す概略図である。
【図５Ｅ】
図５Ｅは、本発明の好適な実施態様による、プリントヘッド・チップ上のインク−加熱抵抗体と抵抗体選択回路要素を集合的に示す概略図である。
【図５Ｆ】
図５Ｆは、本発明の好適な実施態様による、プリントヘッド・チップ上のインク−加熱抵抗体と抵抗体選択回路要素を集合的に示す概略図である。
【図５Ｇ】
図５Ｇは、本発明の好適な実施態様による、プリントヘッド・チップ上のインク−加熱抵抗体と抵抗体選択回路要素を集合的に示す概略図である。
【図５Ｈ】
図５Ｈは、本発明の好適な実施態様による、プリントヘッド・チップ上のインク−加熱抵抗体と抵抗体選択回路要素を集合的に示す概略図である。
【図６Ａ】
図６Ａは、本発明の好適な実施態様による、制御信号のタイミング図である。
【図６Ｂ】
図６Ｂは、本発明の好適な実施態様による、制御信号のタイミング図である。
【図１】
2004500999.tif 000007
【図２】
2004500999.tif 000008
【図３Ａ】
2004500999.tif 000009
【図３Ｂ】
2004500999.tif 000010
【図４Ａ】
2004500999.tif 000011
【図４Ｂ】
2004500999.tif 000012
【図５Ａ】
2004500999.tif 000013
【図５Ｂ】
2004500999.tif 000014
【図５Ｃ】
2004500999.tif 000015
【図５Ｄ】
2004500999.tif 000016
【図５Ｅ】
2004500999.tif 000017
【図５Ｆ】
2004500999.tif 000018
【図５Ｇ】
2004500999.tif 000019
【図５Ｈ】
2004500999.tif 000020
【図６Ａ】
2004500999.tif 000021
【図６Ｂ】
2004500999.tif 000022
【国際公開パンフレット】
2004500999.tif 000023
2004500999.tif 000024
2004500999.tif 000025
2004500999.tif 000026
2004500999.tif 000027
2004500999.tif 000028
2004500999.tif 000029
2004500999.tif 000030
2004500999.tif 000031
2004500999.tif 000032
2004500999.tif 000033
2004500999.tif 000034
2004500999.tif 000035
2004500999.tif 000036
2004500999.tif 000037
2004500999.tif 000038
2004500999.tif 000039
2004500999.tif 000040
2004500999.tif 000041
2004500999.tif 000042
2004500999.tif 000043
2004500999.tif 000044
2004500999.tif 000045
2004500999.tif 000046
2004500999.tif 000047
2004500999.tif 000048
2004500999.tif 000049
2004500999.tif 000050
2004500999.tif 000051
2004500999.tif 000052
2004500999.tif 000053
2004500999.tif 000054
2004500999.tif 000055
2004500999.tif 000056
2004500999.tif 000057
2004500999.tif 000058
2004500999.tif 000059
2004500999.tif 000060
2004500999.tif 000061
2004500999.tif 000062
【国際調査報告】
2004500999.tif 000063